(57)【要約】    【課題】    脚を過度に締め付けることを防止しつつ、脚周りからの漏れを良好に防止することができ、しかも、おむつを装着する際に、赤ちゃんの足を容易にレッグ開口部に挿通させて、赤ちゃんに容易にはかせることのできるパンツ型の使い捨ておむつを提供すること。    【解決手段】  液保持性の吸収体を備え、腹側部Ａ、股下部Ｃ及び背側部Ｂを有し、ウエスト開口部及び一対のレッグ開口部が形成されているパンツ型の使い捨ておむつにおいて、股間幅の最小値Ｌ１と、該股間幅が最小となる部位に位置する、前記各レッグ開口部の開口縁部８２上の点Ｐから、該開口縁部２８の腹側部Ａ側の端点Ｑまでのおむつ縦方向の距離Ｌ２との比（Ｌ１／Ｌ２）が１．７〜２．２である、使い捨ておむつ。【選択図】    図４
2005169099.tif 000002
【特許請求の範囲】
【請求項１】
液保持性の吸収体を備え、腹側部、股下部及び背側部を有し、ウエスト開口部及び一対のレッグ開口部が形成されているパンツ型の使い捨ておむつであって、
股間幅の最小値Ｌ１と、該股間幅が最小となる部位に位置する、前記各レッグ開口部の開口縁部上の点Ｐから、該開口縁部の腹側部側の端点Ｑまでのおむつ縦方向の距離Ｌ２との比（Ｌ１／Ｌ２）が１．７〜２．２である、使い捨ておむつ。
【請求項２】
前記股間幅の最小値Ｌ１と、前記点Ｐから、前記端点Ｑを通るおむつ縦方向の仮想直線Ｌａまでの距離Ｌ３との比（Ｌ１／Ｌ３）が２．０〜２．５である請求項１記載の使い捨ておむつ。
【請求項３】
前記点Ｐと前記端点Ｑとを結ぶ仮想直線Ｌｂと、前記レッグ開口部の開口縁部とで囲まれた領域の面積をＳ１、該点Ｐを通るおむつ縦方向の仮想直線Ｌｃと、該仮想直線Ｌｃに直交し前記端点Ｑを通るおむつ幅方向の仮想直線Ｌｄと、前記仮想直線Ｌｂとで囲まれた領域の面積をＳ２としたときの前記両領域の面積比（Ｓ１／Ｓ２）が０．４５〜０．５５である請求項１又は２記載の使い捨ておむつ。
【請求項４】
前記腹側部及び前記背側部における胴回り部に、おむつ幅方向に伸縮する伸縮部を有しており、前記レッグ開口部には、その開口縁部に沿ってレッグギャザーが形成されており、該レッグギャザー形成用の弾性部材の一部が、前記腹側部及び／又は前記背側部における前記胴回り部の伸縮部内に延在している請求項１〜３の何れか記載の使い捨ておむつ。
【請求項５】
前記レッグ開口部には、その開口縁部に沿ってレッグギャザーが形成されており、該レッグギャザーが形成された部位は、最大伸長率から２０％を減じた伸長率迄伸長させたときの引張荷重が１００〜２５０ｃＮ／ｃｍである請求項１〜４の何れか記載の使い捨ておむつ。
【請求項６】
前記レッグ開口部には、その開口縁部に沿ってレッグギャザーが形成されており、おむつ縦方向の両側に、おむつ縦方向に沿って少なくとも一対の立体ガードが形成されている請求項１〜５の何れか記載の使い捨ておむつ。
【請求項７】
股上の長さが２２０ｍｍ以下である請求項１〜６の何れか記載の使い捨ておむつ。
【発明の詳細な説明】
【技術分野】
【０００１】
本発明は、容易にはかせることのできるパンツ型の使い捨ておむつに関する。
【背景技術】
【０００２】
従来、使い捨ておむつとして、自身で起立したり歩行したりできるようになった子供（高月齢児）用のパンツ型おむつが知られている（特許文献１参照）。
【０００３】
【特許文献１】特開２００１―４７８号公報
【発明の開示】
【発明が解決しようとする課題】
【０００４】
従来、パンツ型の使い捨ておむつは、立たせた状態の幼児に、両レッグ開口部に片足づつ足を通させることによってはかせていた。
このため、寝返りができなかったり、掴まり立ちのできないような低月齢児に着用させること、特に寝かせた状態で履かせることは考慮されていなかった。したがって、低月齢児に好適に用いることのできるパンツ型おむつは未だ提供されていなかった。
【０００５】
本発明の目的は、脚を過度に締め付けることを防止しつつ、脚周りからの漏れを防止することができ、しかも、おむつを装着する際に、赤ちゃんの足を容易にレッグ開口部に通す事が可能で、容易にはかせることのできる、特に低月齢児用として適したパンツ型の使い捨ておむつを提供することにある。
【課題を解決するための手段】
【０００６】
本発明は、液保持性の吸収体を備え、腹側部、股下部及び背側部を有し、ウエスト開口部及び一対のレッグ開口部が形成されているパンツ型の使い捨ておむつであって、股間幅の最小値Ｌ１と、該股間幅が最小となる部位に位置する、前記各レッグ開口部の開口縁部上の点Ｐから、該開口縁部の腹側部側の端点Ｑまでのおむつ縦方向の距離Ｌ２との比（Ｌ１／Ｌ２）が１．７〜２．２である、使い捨ておむつを提供することにより、前記目的を達成したものである。
【発明の効果】
【０００７】
本発明の使い捨ておむつは、脚を過度に締め付けることをしなくとも、脚周りからの漏れを防止することができ、しかも、おむつを装着する際に、赤ちゃんの足を容易にレッグ開口部に通す事が可能で、赤ちゃんに容易にはかせることができる。
本発明の使い捨ておむつは、低月齢児に限られるものではないが、特に低月齢児に適しており、しかも寝た状態の新生児にも容易にはかせることができるという利点がある。
【発明を実施するための最良の形態】
【０００８】
以下本発明を、その好ましい実施形態に基づき図面を参照しながら説明する。
本発明の一実施形態としての使い捨ておむつ１は、図１に示すように、パンツ型のおむつである。おむつ１は、図２及び図３に示すように、液透過性の表面シート２、液不透過性の裏面シート３及び両シート２，３間に介在された液保持性の吸収体４を有する吸収性本体１０と、該吸収性本体１０の外側（非肌当接面側）に位置して該吸収性本体１０を接合固定している外装体５とを具備し、着用時に着用者の腹側に配される腹側部Ａと背側に配される背側部Ｂとその間に位置する股下部Ｃと有している。そして、腹側部Ａの両側縁部と背側部Ｂの両側縁部とがヒートシール、高周波シール、超音波シール等の公知の接合手段により互いに接合されて一対のサイドシール部５０，５０が形成されており、その接
合により、おむつ１にはウエスト開口部７及び一対のレッグ開口部８，８が形成されている。
【０００９】
図２に示すように、吸収性本体１０は縦長矩形状をなし、その長手方向をおむつ１の縦方向（図２の上下方向，おむつ長手方向ともいう）に一致させ、公知の接合手段により外装体５の幅方向中央部に接合されている。吸収体４は、長手方向中央部が括れた砂時計状をなし、表面シート２及び裏面シート３間に挟持固定されている。
【００１０】
図２及び図３に示すように、吸収性本体１０には、その左右両側部に、長手方向へ延びる一対の第１立体ガード６Ａ，６Ａ及び第２立体ガード６Ｂ，６Ｂが形成されている。図３に示すように、第１立体ガード６Ａは、吸収性本体１０の幅方向内方側に自由端６１Ａを有し且つ外方側に固定端（立ち上がりの基端）６２を有している。自由端６１Ａ近傍には、該自由端６１Ａに沿って、弾性部材６３Ａが伸縮自在に配設されている。一方、第２立体ガード６Ｂは、外装材５との固定端６４を有しており、該固定端６４よりも幅方向外方側に自由端６１Ｂを有している。自由端６１Ｂ近傍には、該自由端６１Ｂに沿って、弾性部材６３Ｂが伸縮自在に配設されている。
【００１１】
図２及び図３に示すように、外装体５は外層シート５１と内層シート５２との積層体から構成されている。外層シート５１はおむつ１の最外面をなし、内層シート５２は、外層シート５１に隣接しておむつ１の内面側に配されている。外層シート５１は、内層シート５２の前後端縁から前後方向に延出する延出部を有し、それらの延出部はそれぞれ、外装体５の内層シート５２上に吸収性本体１０が配置された後、該吸収性本体１０の前後端を覆うように該吸収性本体１０側に折り返されて接着されている。
【００１２】
おむつ１は、図１及び図２に示すように、腹側部Ａ及び背側部Ｂにおける胴回り部Ｄ１，Ｄ２それぞれに一対のサイドギャザー（幅方向に伸縮する伸縮部）９０を有し、それにより、おむつ１の胴回り部Ｄは、その周方向に伸縮性を有している。また、腹側部Ａ及び背側部Ｂにおけるウエスト部Ｅ１，Ｅ２それぞれにウエストギャザー７０を有し、それにより、おむつ１のウエスト部Ｅは、その周方向に伸縮性を有している。
【００１３】
ウエストギャザー７０は、図１及び図２に示すように、腹側部Ａ及び背側部Ｂにおけるウエスト部Ｅ１，Ｅ２に、ウエスト部弾性部材７１を、それぞれウエスト開口部７の開口縁部７２に沿って延びるように伸長状態で固定して形成されている。
一対のサイドギャザー９０，９０は、腹側部Ａ及び背側部Ｂにおける胴回り部Ｄ１，Ｄ２それぞれに、それぞれ胴回り部Ｄの周方向に向けて、複数本の弾性部材９１を伸長状態で固定して形成されている。これらの弾性部材９１は、少なくとも吸収体４の両側縁よりも幅方向外方の部位に伸長状態で配設固定されており且つ吸収体４と重なる部位の少なくとも幅方向中央部には弾性伸縮性が発現される状態では配設されていない。弾性部材９１は、おむつの幅方向に２つに分割された状態で配置されている。
【００１４】
また、レッグ開口部８には、その開口縁部８２に沿ってレッグギャザー８０が形成されている。レッグギャザー８０は、開口縁部８２に沿って複数本の弾性部材８１を伸長状態で固定して形成されている。
以上の各弾性部材７１，８１，９１は何れも外装体５を構成する外層シート５１と内層シート５２との間に挟持固定されている。
【００１５】
おむつ１は、低月齢児用であり、股上の長さが５０〜２２０ｍｍである。股上の長さＬ４は、展開且つ伸長状態のおむつ全長ＬＴ（図４参照）の１／２の長さである。
ここで、展開且つ伸長状態とは、サイドシール部を引き剥がして、おむつを展開状態とし、その展開状態のおむつを、各部の弾性部材を伸長させて、設計寸法（弾性部材の影響を一切排除した状態で平面状に広げたときの寸法と同じ）となるまで拡げた状態をいう。
【００１６】
図４に示すように、おむつ１は、股間幅（一対のレッグ開口部８，８の開口縁部８２，８２同士間のおむつ幅方向の距離）Ｌの最小値Ｌ１と、該股間幅Ｌが最小となる部位に位置する、各レッグ開口部８の開口縁部８２上の点Ｐから、レッグ開口部８の開口縁部８２の腹側部Ａ側の端点Ｑまでのおむつ縦方向の距離（おむつ縦方向に沿って測定した距離）Ｌ２との比（Ｌ１／Ｌ２）が１．７〜２．２であり、好ましくは１．８〜２．０である。この範囲とすることで、低月齢児のように脚がくの字型に曲がっているような体型であっても、後述するような装着方法によって寝たままの状態で履かせ易く、履かせた後は排泄物がレッグ開口部から漏れにくい。
【００１７】
本発明者らは、従来の高月齢児用パンツ型おむつをそのままサイズダウンして低月齢児に履かせようとしたところ、脚が通しにくいということを見出した。その原因について検討を行ったところ、まずレッグ開口部の伸縮力に原因があることが分かった。つまり、排泄量が多い高月齢児用おむつではレッグ開口部からの漏れを防ぐために伸縮力が強く配されており、これによって低月齢児を寝かせたままではレッグ開口部が開きにくく、脚を通し難いのである。しかし、この問題を解決すべく開口部の伸縮力を弱くしたところ、排泄物の漏れが生じ易くなってしまう。つまり、例え伸縮力を小さくしても排泄物が漏れ難く、かつ低月齢児が寝た状態でも親が履かせ易いようなパンツ型おむつの開発は容易ではなかった。
【００１８】
しかし、本発明者らは、種々検討を行ったところ、従来の高月齢児用のパンツ型おむつではＬ１／Ｌ２が小さい（１．７未満）ことと漏れ易さに相関があることを見出した。そこでこの値を大きくしたところ、レッグ開口部からの漏れが劇的に減少することが分かった。しかもその場合には、レッグ開口部に与える伸縮力をあまり強くしなくても十分な漏れ防止性能が得られることも見出したのである。しかし一方で、この値を際限なく大きくしていくと低月齢時のようにくの字に曲がった脚はレッグ開口部に通しにくく、履かせにくくなることも見出した。特に新生児のようにまだ関節の機能が十分に成長していない場合には、脱臼を恐れるあまり履かせるという動機すら失ってしまう。したがって、上記範囲とすることが低月齢児様の体型には漏れ防止と履かせ易さを両立することができて好ましい。
【００１９】
図４に示すように、おむつ１は、展開且つ伸長状態における全長ＬＴを２等分する中央線（おむつ幅方向に延びる中央線）を境にして、それより腹側部Ａ側の前身頃Ｆとそれより背側部側の後身頃Ｇに区分したときの前記前身頃Ｆに、前記股間幅Ｌが最小となる部位を有している。そして、該部位からおむつ長手方向の前後方向に向かうにつれて股間幅Ｌは漸次増大している。
尚、股間幅Ｌが、おむつ長手方向の所定の長さに亘って最小値を示す場合には、最も長手方向中央に近い部位を股間幅が最小となる部位とする。ただ、この場合には、最小値を示す部位がおむつ長手方向中央から、端部方向に向かっておむつ全長の１／１０以内にあることが好ましい。
【００２０】
おむつ１は、股間幅Ｌの最小値Ｌ１と、該股間幅Ｌが最小となる部位に位置する、各レッグ開口部８の開口縁部８２上の点Ｐから、レッグ開口部８の開口縁部８２の腹側部Ａ側の端点Ｑを通るおむつ縦方向の仮想直線Ｌａまでの距離（おむつ幅方向に沿って測定した距離）Ｌ３との比（Ｌ１／Ｌ３）が２．０〜２．５、特に２．２〜２．４であることが好ましい。前記比（Ｌ１／Ｌ３）を上記範囲内とすることで、仰向けに寝た状態の赤ちゃん、特に低月齢児のように左右に開いた両脚の屈曲形状に一層適合した形状になる。
【００２１】
また、おむつ１は、図４に示すように、前記点Ｐと前記端点Ｑとを結ぶ仮想直線Ｌｂと、該レッグ開口部８の開口縁部８２とで囲まれた欠円状の領域Ｈの面積をＳ１とし、前記点Ｐを通るおむつ縦方向の仮想直線Ｌｃと、該仮想直線Ｌｃに直交し前記レッグ開口部８の上端部Ｑを通るおむつ幅方向の仮想直線Ｌｄと、前記仮想直線Ｌｂとで囲まれた直角三角形状の領域（領域Ｈと領域Ｊを合わせた領域）の面積をＳ２としたときの両領域の面積比（Ｓ１／Ｓ２）が０．４５〜０．５５、特に０．４６〜０．５０であることが好ましい。前記比（Ｓ１／Ｓ２）を上記範囲内とすることで、おむつを装着する際に、赤ちゃんの足をレッグ開口部に通す事が一層容易となり、足を通した後の引き上げも一層容易となる。
【００２２】
尚、本実施形態のおむつ１は、股間幅Ｌの最小値Ｌ１が１５０〜１７０ｍｍ程度、前記距離Ｌ２が７５〜９５ｍｍ程度である。Ｌ１／Ｌ２を前述の範囲とするとともに、Ｌ１及びＬ２をこの範囲とすることで、低月齢児様体型の脚が一層通し易くなる。特にＬ２に関しては上記範囲であるとレッグ開口部から排泄物が特に漏れ難くなる。
【００２３】
また、前記距離Ｌ３は６５〜７５ｍｍ程度、前記面積Ｓ１は１３．５〜１９．０ｃｍ2程度、前記面積Ｓ２は２５．０〜３５．０ｃｍ2程度であることが着用者の脚に対して優しくあたることから好ましい。
【００２４】
本実施形態のおむつ１は、前記点Ｐとレッグ開口部の開口縁部８２の背側部Ｂ側の端点Ｑ’とを結ぶ仮想直線Ｌｅと、該レッグ開口部の開口縁部８２とで囲まれた欠けた円状の領域Ｋの面積をＳ３、該点Ｐを通るおむつ縦方向の仮想直線Ｌｃと、該仮想直線Ｌｃに直交し前記端点Ｑ’を通るおむつ幅方向の仮想直線Ｌｆと、前記仮想直線Ｌｅとで囲まれた直角三角形状の領域（領域Ｋと領域Ｍを合わせた領域）の面積をＳ４としたときの前記両領域の面積比（Ｓ３／Ｓ４）が０．４５〜０．５５、特に０．４６〜０．５０であることが好ましい。
【００２５】
本実施形態のおむつ１は、特に、仰向けに寝た状態の新生児に特に容易にはかせることができる。おむつの装着方法は特に制限されないが、好ましい装着方法の例を以下に示す。
【００２６】
（装着方法）
図５（ａ）に示すように、一方のレッグ開口部８に一方の手を挿入し、その手で片方の足をつかんで、図５（ｂ）に示すように、その足をレッグ開口部から引きだす。そして、図５（ｃ）に示すように、もう片方の足も同様にして他方のレッグ開口部から引き出す。両足が通ったら、図５（ｄ）に示すように、着用者のウエストまでおむつを引き上げる。このようにして、仰向けに寝た状態の新生児等に、おむつ１を容易に装着することができる。
【００２７】
本実施形態のおむつ１によれば、前記比（Ｌ１／Ｌ２）が上記特定の範囲にあることによって、レッグ開口部の形状が、仰向けに寝た状態の赤ちゃん、特に脚が左右に開いている新生児の脚を挿入するのに極めて適したものになっている。
そのため、例えば上述した好ましい装着方法によりおむつを装着する場合に、レッグ開口部に手を挿入して赤ちゃんの足をつかんだ後、その手で赤ちゃんの足をレッグ開口部から引き出す動作を極めて円滑に行うことができる。
また、レッグ開口部の形状が、レッグ開口部を、赤ちゃん、特に新生児の脚に良好にフィットさせるのに特に適したものとなっているため、弾性部材８１によりレッグ開口部に強力な収縮力を付与しなくても、脚周りに充分なフィット性が得られる。そのため、赤ちゃんの脚周りを過度に圧迫することを防止することができる。
【００２８】
また、おむつ１は、上述したレッグギャザー形成用の弾性部材８１の一部８１ａが、腹側部Ａ及び背側部Ｂにおける胴回り部Ｄ１，Ｄ２内のサイドギャザー（伸縮部）９０内まで延在している。伸縮部内まで延在とは、弾性部材８１の一部８１ａが、弾性部材９１が配設されている領域内、具体的には、おむつ縦方向において、相隣接する弾性部材９１同士間まで入り込んでいることを意味する。弾性部材８１の一部８１ａは、腹側部Ａ及び背側部Ｂの何れか一方の伸縮部のみに入り込んでいても良い。
【００２９】
また、おむつ１は、上述したように、レッグ開口部８には、その開口縁部に沿ってレッグギャザー８０が形成されており、おむつ縦方向の両側に、おむつ縦方向に沿って一対の立体ガード６Ｂ，６Ｂが形成されている。そのため、レッグギャザー開口部の伸縮力をより弱くしても排泄物の漏れ防止効果は高いので、着用者に優しい感触を与えられる。
尚、このような効果は、少なくとも一対の立体ガードが存在すれば奏される。即ち第１立体ガード及び第２立体ガードの何れか一方のみが存在するような場合にも奏される。
【００３０】
レッグギャザーが形成された部位を最大伸長率から２０％を減じた伸長率迄伸長させたときの引張荷重（以下、レッグギャザーの伸長荷重という。）が１００〜２５０ｃＮ、特に１５０〜２２０ｃＮであることが、ゴム跡が付かずにやさしくフィットする点から好ましい。本発明のおむつは、例えば、このような小さい伸縮応力であってもレッグ開口部からの漏れが十分に抑制される。
【００３１】
レッグギャザーの伸長荷重は、以下のようにして測定される。
〔レッグギャザーの伸長荷重の測定方法〕
おむつからレッグ部弾性部材が配されている部位を必要な程度の幅で切り出し、テンシロン引張り試験機を用いておむつ縦方向に対応する方向に伸長させる。本実施形態ではオリエンテック社製のＲＴＡ−１００（株）を使用した。ここで「必要な程度の幅」とは、当該部位の伸長荷重を測定するのに必要な最小限度の幅を言い、必要以上の幅を要しない（例えば、吸収体まで含むような幅で切り出すことは要しない）ことを意味する。
初期チャック間距離は縦方向の自然長（弾性部材を伸長させない自然状態における長さ、初期長）から５０ｍｍを減じた長さとし、サンプルの両端部をそれぞれチャックに挟む。次いで、クロスヘッド移動速度３００ｍｍ／ｍｉｎの条件でサンプルを最大伸長の長さ（弾性部材を固定している部材の自然長長さ）−１０ｍｍのところまで伸長させる。そして、最大伸長率から２０％を減じた伸長率における引張荷重（引張力）を求める。
【００３２】
本実施形態のおむつ１の各部を構成する材料としては当該技術分野において通常用いられているものを特に制限なく用いることができる。
例えば表面シート２としては、親水性且つ液透過性の不織布や、開孔フィルムを用いることができる。裏面シート３としては、樹脂フィルムや、樹脂フィルムと不織布等とのラミネート材等を用いることができる。吸収体４としてはフラッフパルプと高吸収性ポリマーの粒子との混合積繊物をティッシュペーパや不織布等（以下、包装材という）でくるんだもの等を用いることができる。立体ガードを構成するシートとしては、撥水性の不織布が好ましく用いられる。外層シート５１及び内層シート５２としては、各種製法による不織布が好ましく用いられる。
【００３３】
各部の弾性部材としては、それぞれ各種公知の弾性部材を用いることができ、例えば、各弾性部材の形態としては、糸状のもの（糸ゴム等）、所定幅の帯状のもの（平ゴム等）、薄膜状のもの等を挙げることができ、弾性部材の形成素材としては、天然ゴムの他、スチレン−ブタジエン、ブタジエン、イソプレン、ネオプレン等の合成ゴム、ＥＶＡ、伸縮性ポリオレフィン、ウレタン等を挙げることができる。
レッグギャザー形成用の前記弾性部材８１としては、平ゴム状のものが好ましく、胴回り部弾性部材９０は糸ゴム状のものが好ましく、ウエスト部弾性部材７１は平ゴム状のものを用いることが好ましい。
【００３４】
吸収体４は、その曲げ剛性が１〜２５ｃＮ／５０ｍｍであることがはかせる際に赤ちゃんの股間に沿い易く、フィットする点から好ましい。曲げ剛性は、おむつ長手方向の剛性と幅方向の曲げ剛性とがあるが、少なくとも幅方向の曲げ剛性が上記範囲内であることが好ましい。
【００３５】
吸収体４の曲げ剛性は、以下のようにして測定することができる。
〔曲げ剛性の測定方法〕
測定にはテンシロン試験機〔（株）オリエンテック社製のＲＴＣ−１１５０Ａ〕を用い、ＪＩＳ規格Ｋ７１７１法（プラスチック−曲げ特性の試験方法）に準拠して測定を行う（Ｒ１＝５．０±０．１ｍｍ、Ｒ２＝５．０±０．２ｍｍ）。
試験片を、エッジスパン間Ｌを５０ｍｍとした支持台の両エッジ間に渡すように置き、試験片に僅かに接するように圧子先端部を配置する。ロードセル５ｋｇ（レンジ２００ｃＮ）、速度３０ｍｍ／ｍｉｎの条件で、圧子を降下させ、荷重−たわみ曲線を得る。得られた曲げ応力の最大値を曲げ剛性値（ｃＮ／５０ｍｍ）とする。
【００３６】
〔試験片の調製方法〕
試験片は、吸収性物品から包装材込みの吸収体を取り出し、その長手方向及び幅方向の中央部から、おむつ長手方向に５０ｍｍ、幅方向に８０ｍｍの長方形状に切り出す。曲げ剛性値の単位中の５０ｍｍは試験片の短辺の長さであり、試験時の圧子でたわませた試験片の幅である。試験片は、その長辺を、一方のエッジから他方のエッジに亘る方向に一致させて、両エッジ間に架け渡す。おむつ幅方向の曲げ剛性を測定する場合は、おむつ長手方向８０ｍｍ、幅方向５０ｍｍの試験片を切り出す。曲げ剛性値の単位中の５０ｍｍは試験片吸収性物品から台紙込みの吸収体を取り出せない場合は、不織布、フィルム等の材料を含んだ剛性値と各材料の剛性値を測定し、その値から吸収体の剛性値を計算することで、吸収体剛性値を求める。
【００３７】
以上、本発明の好ましい一実施形態について説明したが、本発明は、上述した実施形態に制限されず、本発明の趣旨を逸脱しない範囲で種々変更が可能である。
上述したおむつ１は、低月齢児用であり、股上の長さが５０〜２２０ｍｍであったが、本発明の使い捨ておむつは、高月齢児用又は成人用のおむつであっても良い。高月齢児用のおむつの場合は、股上の長さが１００〜３００ｍｍであることが好ましく、成人用のおむつの場合は、股上の長さが２００〜５００ｍｍであることが好ましい。
【実施例】
【００３８】
＜実施例１＞
図１〜図３に示す形態の使い捨ておむつを製造した。
各部の寸法及び物性値を表１に示した。
【表１】
2005169099.tif 000003
【００３９】
＜比較例＞
前記比（Ｌ１／Ｌ２）を１．５とした以外は、実施例１と同様にしておむつを製造した（Ｌ１＝１６０ｍｍ，Ｌ２＝１０７ｍｍ）。
【００４０】
＜参考例＞
前記比（Ｌ１／Ｌ２）を２．３ｍｍとした以外は、実施例１と同様にしておむつを製造した（Ｌ１＝１６０ｍｍ，Ｌ２＝１０７ｍｍ）
【００４１】
＜性能評価＞
各使い捨ておむつについて、１）新生児に対する装着の容易性、及び２）尿の股モレ防止性能をそれぞれ下記の方法で評価した。結果を表２に示した。
１）装着の容易性（足の通し易さの評価）
〔評価方法〕
各おむつを、上述した装着方法により、新生児モデル（静置様態では脚がくの字に曲がっているもの）に装着し、寝かせた状態でレッグ開口部に足を通す際の通し易さについて評価した。
（評価基準）
足を通す際に、通し易ければ○、通しにくければ×とした。
通し易いというのは、両足とも通し易く、特に片足を通した後に他方の足を通す際にスムーズに通せる事を意味する。通しにくいというのは、両足とも通しにくいが特に片足を通した後に他方の足を通す際に通しにくい事を意味する。
【００４２】
２）尿の股モレ防止性能（股モレ値の測定）
〔評価方法〕
低月齢モデル（股間部からの人工尿の注入が可能であり、形態的に低月齢児の腰部を模してあるモデル）におむつを装着し、下記方法で股モレ値を測定した。
股モレ値測定においては、先ずおむつを上記の低月齢モデルに装着し、先ず９０°横向きにセットし、そのまま４５°背中側へ倒す。チューブを介して人工尿を５ｇ／秒の速度で３０ｇ注入し、注入後漏れていないかどうかを目視にてチェックした。漏れが生じていないものについては、更に４０ｇの人工尿を同様にして注入し、このような操作を漏れるまで繰り返した。そして、尿の漏れが観察された時点における人工尿の合計注入量を股モレ値とした。
【００４３】
【表２】
2005169099.tif 000004
【００４４】
表２に示す結果から、実施例の使い捨ておむつは、赤ちゃんの足を通し易くしかも股部からモレにくいことが判る。これに対して、比較例のおむつは、赤ちゃんの足を通し易いが股部に隙間が生じ易く、モレ易い。参考例のおむつは、モレにくいが、片方の脚を通した後にもう片方の脚を通すことが困難であるため、赤ちゃんの足を通しづらいことが判る。
【図面の簡単な説明】
【００４５】
【図１】図１は、本発明の一実施形態としての使い捨ておむつを示す斜視図である。
【図２】図２は、図１の使い捨ておむつの展開且つ伸長状態を示す平面図である。
【図３】図３は、図２のＩ−Ｉ線に沿う断面（股間幅が最小となる部位の断面）を示す模式断面図である。
【図４】図４は、図１の使い捨ておむつの展開且つ伸長状態における外形形状を説明するための平面図である。
【図５】図５は、図１の使い捨ておむつを新生児に装着する様子を示す図であり、図５（ａ）は、おむつ外面側から一方のレッグ開口部に手を挿入した状態、図５（ｂ）は、その手で仰向けに寝ている赤ちゃんの片足をつかんで一方のレッグ開口部から引き出した状態、図５（ｃ）は、もう片方の足を同様にして他方のレッグ開口部から引き出した状態、図５（ｄ）は、おむつを引き上げて装着を完了した状態を示す図である。
【符号の説明】
【００４６】
１    使い捨ておむつ
２    表面シート
３    裏面シート
４    吸収体
６Ａ，６Ｂ  立体ガード
７    ウエスト開口部
７０  ウエストギャザー
８    レッグ開口部
８０  レッグギャザー
８２  開口縁部
９０  サイドギャザー
Ａ    腹側部
Ｂ    背側部
Ｃ    股下部
Ｐ    股間幅が最小となる部位に位置するウエスト開口部の開口縁部上の点
Ｑ    ウエスト開口部の開口縁部の腹側部側の端点
【図１】
2005169099.tif 000005
【図２】
2005169099.tif 000006
【図３】
2005169099.tif 000007
【図４】
2005169099.tif 000008
【図５】
2005169099.tif 000009